(57)【特許請求の範囲】
【請求項１】
躯体から室外側に突設したパネル支持部材の上下左右にそれぞれパネルの結合部を設け、各パネルの４つのコーナー部をそれぞれ４つパネル支持部材の各１つの結合部に支持させて複数枚のパネルを上下方向、左右方向に並べてカーテンウォールを構成し、該カーテンウォールを構成する複数枚のパネルの一部を開閉パネルとし、
該開閉パネルの周囲に、隣接パネルとの間の隙間を閉塞する気密材を取付け、
前記開閉パネル取付け領域の上部に位置しかつ左右に隣接する２つのパネル支持部材の各１つの下方の結合部にそれぞれベース部材を取付け、
前記ベース部材の上下に上アームと該上アームより長い下アームとを回動自在に取付けて前記上アームの先端に枢着軸により相対回動自在にパネル取付け板を連結すると共に、前記パネル取付け板の下部と前記下アームの先端とを相対回動自在に連結し、
前記パネル取付け板に前記開閉パネルの上部を固定し、
前記開閉パネルの開放時に、開放動作に伴って開閉パネルの上部である前記枢着軸側が閉塞位置からやや下がりながら室外方向に移動して開放され、
前記開閉パネルの閉塞時には、前記開放時と反対の動きにより、閉塞動作に伴って開閉パネル全体が閉塞位置より室内側に入り込むことなく閉塞する構成とした
ことを特徴とするカーテンウォール。
【請求項２】
躯体から室外側に突設したパネル支持部材の上下左右にそれぞれパネルの結合部を設け、各パネルの４つのコーナー部をそれぞれ４つパネル支持部材の各１つの結合部に支持させて複数枚のパネルを上下方向、左右方向に並べてカーテンウォールを構成し、該カーテンウォールを構成する複数枚のパネルの一部を開閉パネルとし、
該開閉パネルの周囲に、隣接パネルとの間の隙間を閉塞する気密材を取付け、
前記開閉パネル取付け領域の上部に位置しかつ左右に隣接する２つのパネル支持部材の各１つの結合部にそれぞれガイド溝を有する支持装置を取付け、
前記支持装置のガイド溝に沿って上下動自在にパネル取付け板の上部の枢着軸を装着し、該パネル取付け板の下部と前記支持装置の下部とをアームにより相対回動自在に連結し、
前記パネル取付け板に前記開閉パネルの上部を固定し、
前記開閉パネルの開放、閉塞動作に伴って、前記開閉パネルの上部である前記枢着軸側がカーテンウォールの面内方向に移動しながらパネルが開閉される構成とした
ことを特徴とするカーテンウォール。
【請求項３】
躯体から室外側に突設したパネル支持部材の上下左右にそれぞれパネルの結合部を設け、各パネルの４つのコーナー部をそれぞれ４つパネル支持部材の各１つの結合部に支持させて複数枚のパネルを上下方向、左右方向に並べてカーテンウォールを構成し、該カーテンウォールを構成する複数枚のパネルの一部を開閉パネルとし、
該開閉パネルの周囲に、隣接パネルとの間の隙間を閉塞する気密材を取付け、
前記開閉パネル取付け領域内に位置する４つのパネル支持部材の各１つの結合部のうち、左右または上下に隣接する２つの結合部間に平行に２本のパネル支持枠を取付け、
前記2本のパネル支持枠に沿ってそれぞれ摺動自在にスライダを設け、
該スライダに回動自在に取付けた短いリンクの先端と、前記開閉パネルの左右または上下いずれかの一端部とを枢着軸により相対回動自在に連結し、
前記2本のパネル支持枠における前記短いリンクとの連結側の反対側の端部近傍と前記開閉パネルとを長いリンクにより相対回動自在に連結し、
前記長いリンクと前記スライダとを別のリンクにより相対回動自在に連結し、
前記開閉パネルの開放、閉塞動作に伴って、前記開閉パネルの前記枢着軸側がカーテンウォールの面内方向に移動しながら開閉パネルが開閉される構成とした
ことを特徴とするカーテンウォール。
【発明の詳細な説明】
【０００１】
【発明の属する技術分野】
本発明は、建物の外壁面に設けられるカーテンウォールに係り、特に開閉パネルの取付け構造に関する。
【０００２】
【従来の技術】
ガラスパネル、金属パネル、タイルあるいは石材等からなるパネルを配列して構成されるカーテンウォールにおいては、緊急時の出入り、煙出し、あるいは換気が可能となるように、パネルの一部を開閉パネルとする場合がある。
【０００３】
図１９はその従来の開閉パネルの一例を示す側面図であり、上下のパネル１、１間に開閉パネル２を取付けた例であり、該パネル２の上部の左右は、躯体９０の室外側に設けられたパネル支持部材３に取付けらた蝶番９１に開閉自在に取付けられる。９２は開閉パネル２の周囲に設けられたゴム等でなる気密材、９３は開閉パネル２の上辺に対向するパネル１の下辺に取付けた気密材、９４は開閉パネル２の下部に取付けた金具９５とパネル支持部材３に設けた金具９６との間に取付けた折畳み式の止め具であり、図示のような伸長状態と屈曲状態（図示せず）においてそれぞれ開閉パネル２の開、閉状態を保持するものである。
【０００４】
【発明が解決しようとする課題】
このような開閉パネル２を有するカーテンウォールにおいて、従来は、開閉パネル２の頂部を蝶番９１によって枢着しているので、図２０に示すように、開閉パネル２を開く時に、開閉パネル２の上辺と該上辺部の気密材９２は室内側に向けて上がりながら動くため、気密材９２が上方のパネル１の下辺の気密材９３に強く摩擦しながら動くため、第１に、気密材９２、９３が損傷し易く、第２に、気密材９２、９３が強く摩擦しながら開閉されるため、開閉しにくく、第３に、気密材９２、９３が強く摩擦することを防止するためには、パネル１、２間の間隔を大きくして気密材９２のサイズを大きくしなければならず、第４に、上部パネル１の下辺の気密材９３に下方への突片が設けられないため、開閉パネル２を閉じた状態において、水が浸入し易いという問題点がある。
【０００５】
本発明の目的は、上記した問題点に鑑み、開閉パネルを有するカーテンウォールにおいて、開閉パネルの気密材の摩擦、損傷、大サイズ化の問題が解消され、気水密性の面でも優れたカーテンウォールを提供することにある。
【０００６】
【課題を解決するための手段】
本発明は、躯体から室外側に突設したパネル支持部材の上下左右にそれぞれパネルの結合部を設け、各パネルの４つのコーナー部をそれぞれ４つパネル支持部材の各１つの結合部に支持させて複数枚のパネルを上下方向、左右方向に並べてカーテンウォールを構成し、該カーテンウォールを構成する複数枚のパネルの一部を開閉パネルとし、
該開閉パネルの周囲に、隣接パネルとの間の隙間を閉塞する気密材を取付け、
前記開閉パネル取付け領域の上部に位置しかつ左右に隣接する２つのパネル支持部材の各１つの下方の結合部にそれぞれベース部材を取付け、
前記ベース部材の上下に上アームと該上アームより長い下アームとを回動自在に取付けて前記上アームの先端に枢着軸により相対回動自在にパネル取付け板を連結すると共に、前記パネル取付け板の下部と前記下アームの先端とを相対回動自在に連結し、
前記パネル取付け板に前記開閉パネルの上部を固定し、
前記開閉パネルの開放時に、開放動作に伴って開閉パネルの上部である前記枢着軸側が閉塞位置からやや下がりながら室外方向に移動して開放され、
前記開閉パネルの閉塞時には、前記開放時と反対の動きにより、閉塞動作に伴って開閉パネル全体が閉塞位置より室内側に入り込むことなく閉塞する構成とした
ことを特徴とする（請求項１）。
【０００７】
また、本発明は、躯体から室外側に突設したパネル支持部材の上下左右にそれぞれパネルの結合部を設け、各パネルの４つのコーナー部をそれぞれ４つパネル支持部材の各１つの結合部に支持させて複数枚のパネルを上下方向、左右方向に並べてカーテンウォールを構成し、該カーテンウォールを構成する複数枚のパネルの一部を開閉パネルとし、
該開閉パネルの周囲に、隣接パネルとの間の隙間を閉塞する気密材を取付け、
前記開閉パネル取付け領域の上部に位置しかつ左右に隣接する２つのパネル支持部材の各１つの結合部にそれぞれガイド溝を有する支持装置を取付け、
前記支持装置のガイド溝に沿って上下動自在にパネル取付け板の上部の枢着軸を装着し、該パネル取付け板の下部と前記支持装置の下部とをアームにより相対回動自在に連結し、
前記パネル取付け板に前記開閉パネルの上部を固定し、
前記開閉パネルの開放、閉塞動作に伴って、前記開閉パネルの上部である前記枢着軸側がカーテンウォールの面内方向に移動しながらパネルが開閉される構成とした
ことを特徴とする（請求項２）。
また、本発明は、躯体から室外側に突設したパネル支持部材の上下左右にそれぞれパネルの結合部を設け、各パネルの４つのコーナー部をそれぞれ４つパネル支持部材の各１つの結合部に支持させて複数枚のパネルを上下方向、左右方向に並べてカーテンウォールを構成し、該カーテンウォールを構成する複数枚のパネルの一部を開閉パネルとし、
該開閉パネルの周囲に、隣接パネルとの間の隙間を閉塞する気密材を取付け、
前記開閉パネル取付け領域内に位置する４つのパネル支持部材の各１つの結合部のうち、左右または上下に隣接する２つの結合部間に平行に２本のパネル支持枠を取付け、
前記2本のパネル支持枠に沿ってそれぞれ摺動自在にスライダを設け、
該スライダに回動自在に取付けた短いリンクの先端と、前記開閉パネルの左右または上下いずれかの一端部とを枢着軸により相対回動自在に連結し、
前記2本のパネル支持枠における前記短いリンクとの連結側の反対側の端部近傍と前記開閉パネルとを長いリンクにより相対回動自在に連結し、
前記長いリンクと前記スライダとを別のリンクにより相対回動自在に連結し、
前記開閉パネルの開放、閉塞動作に伴って、前記開閉パネルの前記枢着軸側がカーテンウォールの面内方向に移動しながら開閉パネルが開閉される構成とした
ことを特徴とする（請求項３）。
【０００８】
【作用】
請求項１においては、開閉パネルの開放に伴い、開閉パネルの上部すなわち枢着軸側はやや下降しながら室外側に動き、開閉パネルを閉じる際には、開閉パネルの上部はやや上昇しながら室外側から室内側への動くため、従来の固定支点の枢着による場合のように、開閉パネルの辺の隣接パネルの対向辺への近接の問題が解消され、気密材が強く摩擦することがなく、損傷が生じにくくなり、また、気密材の圧接摺動による開閉の困難の問題も解消される。また、開閉の際には開閉パネルの気密材が離れるため、開閉パネルの枢着軸側の辺に対向する隣接パネルに取付ける気密材には、その室内側には開閉パネルへ向かう突片を取付けることができ、気水密性が向上する。
【０００９】
請求項２、３においては、枢着軸側の開閉パネルの辺が、隣接パネルの対向辺に対して近接、離反しながら開閉されるため、さらに気密材の摩擦が減少する。
【００１０】
【発明の実施の形態】
図１ないし図７により本発明によるカーテンウォールの一実施例を説明する。図２は本実施例のカーテンウォールを室外側から見た図であり、開閉パネル１の上下左右にはパネル１が固定して配置されている。各パネル１、２の突き合わせ部には、図４の側面図、図５の平面図に示すように、躯体９０に室内側を固定したパネル支持部材３が取付られ、各パネル支持部材３には、それぞれ、各パネル１、２のコーナー部への４個の結合部３ａを有する。これらの結合部３ａのうち、パネル１への結合部３ａは、結合装置４により結合される。
【００１１】
開閉パネル２の上部の左右のコーナー部に対応する結合部３ａには、図１に示すように、開閉パネル２の支持装置５のベース部材６がボルト７、ナット８により取付けられる。開閉パネル２の支持装置５は、図３（Ａ）、（Ｂ）にそれぞれ開閉パネル２が閉じた状態、開いた状態に対応して描いているように、ベース部材６の上部に軸９を介して上アーム１０が回動自在に取付けられる。該上アーム１０に開閉パネル２の取付け板１１の上部が枢着軸１２を介して回動自在に結合される。該取付け板１１の下部と前記ベース部材６の下部との間は、上アーム１０よりも長い（本実施例においては約２倍の長さを有する）下アーム１３と軸１４、１５によって回動自在に結合されている。図１の側面図に示すように、開閉パネル２の上部の左右は、それぞれボルト１７、ナット１８により前記取付け板１１に固定される。
【００１２】
図１に示すように、開閉パネル２の外周には、ひれ２０ａを有するゴムや合成樹脂製の気密材２０が取付けられる。また、開閉パネル２の上部に隣接するパネル１の下辺の気密材２１の室内側には、開閉パネル２側に突出した突片２１ａを有する。開閉パネル２の他の３辺、すなわち側辺、下辺も気密材２０の形状は同様の構造をなし、これらの３辺に対向するパネル１の辺も上部のパネル１の下辺の気密材２１と同様の突片２１ａを有する。
【００１３】
開閉パネル２の下部の左右は、図１８に示した従来と同様のリンク状の止め具９４が、開閉パネル２の下部に取付けた金具９５とパネル支持部材３の結合部３ａに設けた金具９６に両端をピン付けして取付けられ、左右の止め具９４間には、操作バー９７が取付けられている。
【００１４】
この構成において、図４のように開閉パネル２が閉じた状態においては、開閉パネル２の上辺において、図１に示すように、気密材２０のひれ２０ａが上方に隣接するパネル１の下辺の気密材２０の下面に弾性的に接すると共に、室内側のひれ２０ａが上方の気密材２１の突片２１ａに当接して気水密性を保つ。図４に示すように、開閉パネル２が閉じた状態においては、上下のアーム１０、１３は起立した姿勢をとる。
【００１５】
この状態から操作バー９７を把持して止め具９４を室外側にピン９８を中心として回動させると、開閉パネル２が枢着軸１２を中心として回動することにより、開閉パネル２の下端部が室外側にほぼ水平に押し出され、これに伴い、上アーム１０、下アーム１３がそれぞれ軸９、１５を中心として回動する。ここで、下アーム１３は上アーム１０より長いため、これらのアーム１０、１３の回動により、開閉パネル２の下部が室外側に突き出され、図６のように開くが、リンク状の止め具９４が最大限に伸びた状態になると、より以上の回動が阻まれ、開いた状態が保持される。
【００１６】
この開閉パネル２の開き動作の初期においては、図１に示すように、枢着軸１２が上アーム１０の先端において、軸９を回動中心とする円弧の軌跡を描きながら室外側に移動する。このため、開閉パネル２の上辺と気密材２０は、開き動作の初期においては、ほぼ軸９を中心とする円弧の軌跡に沿って室外側にやや下がりながら、すなわち気密材２１から離れながら移動する。すなわち、この構成においては、開閉パネル２の気密材２０は、開閉パネル２の全周にわたり、開閉パネル２の開き動作に伴い、室外側に移動する。
【００１７】
一方、図６の開いた姿勢から閉じ操作を行えば、前記と反対の軌跡を描いて閉じるため、開閉パネル２は前記開き動作の時の軌跡と同じ軌跡上を反対方向に動きながら移動する。すなわち、開閉パネル２は、閉じの際に、全周にわたり、室外側から室内側へ移動しながら、上辺においては、気密材２０がやや上方に動きながら移動する。なお、開閉パネルの下辺の開閉時の移動量は、上辺の移動量よりも大きく、移動速度が速くなり、閉じ動作の終期において、下辺は上辺がほぼ閉じ位置に収まった後に収まるため、下辺の閉じ終期の動きはほぼ水平となる。
【００１８】
このように、開閉パネル２の開放時には、開閉パネル２全体が閉塞位置から室外方向への移動のみで開放され、パネル閉塞時には、閉塞動作に伴って開閉パネル２全体が閉塞位置より室内側に入り込むことなく閉塞する構成としたことにより、従来の蝶番９１による場合の開放時の開閉パネル２の上辺の上動がなく、気密材２０、２１が強く摩擦することがなく、損傷が生じにくくなり、また、気密材２０の圧接摺動による開閉の困難の問題も解消される。また、開閉の際には開閉パネル２の気密材２０が離れるため、気密材２１に突片２１ａを設けることができ、気水密性が向上する。また、気密材２０を大きくする必要がない。
【００１９】
図８は開閉パネル２を開閉位置にロックする装置の他の例を示すカーテンウォールの側面図であり、開閉パネル２の下部に取付けた金具２３にピン２４によりロックバー２５を取付け、該ロックバー２５を、無目２６あるいは前記パネル支持部材３の結合部３ａに取付けた止め板２７の孔２７ａに通し、止めバー２５の下面に間隔を有して複数個設けた切欠２５ａ〜２５ｃを選択的に孔２７ａの下縁に係合させることにより、開閉パネル２が異なる開き度合でロックされるように構成したものである。
【００２０】
図９は開閉パネル２のロック装置の別の例を示す平面図であり、開閉パネル２の下部に取付けた金具２８にピン２９により操作ロッド３０を回動自在に取付け、該操作ロッド３０を、無目２６に取付けた止め板３１の孔３１ａに通し、２点鎖線で示すように、操作ロッド３０を開閉パネル２に対して直角に向けて操作ロッド３０を押し引きすれば、開閉パネル２の開閉が可能であり、開閉パネル２を閉めて操作ロッド３０を実線で示すように横向きにして無目２６に取付けた係止具３２に止めることにより、開閉パネル２が止められるようにしたものである。
【００２１】
図１０は本発明の他の実施例を示す開閉パネル枢着部の側面図、図１１（Ａ）、（Ｂ）は開閉パネル枢着軸の支持装置３３をそれぞれ開閉パネル２の閉じ状態、開き状態について示す斜視図、図１２は該枢着軸支持装置３３を備えた開閉パネル２の側面図である。図１０〜図１２において、支持装置３３は、図２に示した開閉パネル２の上部の左右に対応した各パネル支持部材３の結合部３ａにそれぞれ取付けられるものである。該支持装置３３は、ベース部材３４の前記結合部３ａにボルト３５、ナット３６により取付け、該ベース部材３４の左右にコ字形のガイド溝３７を設け、パネル取付け板３８の上端に取付けた枢着軸３９の両端を直接、またはローラを介して前記各ガイド溝３７に沿って上下動自在に嵌合し、パネル取付け板３８の下部とベース部材３４の下部とをアーム４０とピン４１、４２により回動自在に連結してなるものである。図１０に示すように、パネル取付け板３８に開閉パネル２がボルト４３、ナット４４により取付けられる。
【００２２】
このような枢着軸３９をスライド方式とした場合においても、手動により開閉する構成としてもよいが、図１２の例においては、空気圧または油圧シリンダからなる流体圧シリンダ４６により開閉する装置について示している。すなわち、前記結合部３ａに取付けたブラケット４７と、開閉パネル２に取付けたブラケット４８に流体圧シリンダ４９をピン付けすると共に、開閉パネル２の下部に取付けた金具５０とパネル支持部材３の結合部３ａに取付けた金具５１との間にロープまたはチェーン等の支持部材５２を介装させたものである。
【００２３】
本実施例において、流体圧シリンダ４６を収縮した状態から伸長させると、図１０に示すように、枢着軸３９がガイド溝３７に沿って下方に移動し、上方のパネル１の下辺から開閉パネル２の上辺が下方へ垂直に、すなわちカーテンウォールの面内方向の移動により離れていき、開閉パネル２が開放され、支持部材５２が最大に張った状態にまで開くことができる。流体圧シリンダ４６を収縮させると、これと反対に、枢着軸３９がガイド溝３７に沿って上方に動き、開閉パネル２が閉まった状態では、気密材２０が気密材２１に下方から上りながら当接する。
【００２４】
このように、該パネルの開放、閉塞動作に伴って、該パネルの枢着軸３９がカーテンウォール面内方向に移動する構成とすることにより、気密材２０の開閉に伴う上動による強い摩擦やこれによる損傷の問題が解消され、上部のパネル１の下辺に設ける気密材２１の室内側に突片２１ａを設けることができるから、前記実施例と同様の効果をあげることできる。
【００２５】
図１３は本発明のカーテンウォールの他の実施例を示す平面図であり、本実施例は、パネル２の側部に支持装置５を取付けたものである。本実施例においては、枢着軸１２が縦軸となり、このパネル２の側部の枢着軸１２を中心として開閉パネル２が回動して開閉されるが、回動の方式が異なるだけであり、本実施例においても、開閉パネル２は開放動作に伴って全周が室外側に動き、閉じる際には全周が室内側へ動くことになる。
【００２６】
図１３の実施例においては、開閉パネル２の自重が開閉力として作用しないため、支持装置５の軸部の摩擦力によって任意に開閉位置に開閉パネル２を保持しておくことができる。
【００２７】
また、図１３の実施例においては、閉塞状態で開閉パネル２をロックする構造が前記各例のものと相違している。すなわち本実施例のロック装置５３は、図１４の側面図に示すように、パネル支持部材３の結合部３ａにロック部材５４の受部５５を構成するものである。
【００２８】
このロック装置５３を、図１５（Ａ）〜（Ｄ）の斜視図と、図１４のＥ−Ｅ断面図である図１６（Ａ）と、開閉動作を説明する図１６（Ｂ）の平面図により説明する。図１５（Ａ）、（Ｂ）の分解斜視図に示すように、開閉パネル２のコーナー部近傍に設けた孔２ａには鍔ａを有する円筒状の取付部材５６を嵌合し、該取付部材５６のパネル２より室内側に突出した部分に設けたおねじ溝ｂに、円筒状のナット５７を螺合し締め付けて取付部材５６をパネル２に固定する。該取付部材５６内には角孔ｃを有する円筒ピース５８を回動自在に収容する。５９は前記ナット５７に外嵌する保持部材であり、該保持部材５９には前記ナット５７に外嵌する大円筒部ｄと、角孔ｅを有する結合ピース６０を回動自在に収容する小円筒ｆとを有する。
【００２９】
該ロック装置５３は、室内側ハンドル６１と室外側ハンドル６２とを備え、各ハンドル６１、６２はそれぞれ角ロッド６３、６４に一体に結合し、ロック部材５４は、前記角ロッド６３と、室内側ハンドル６１と、角ロッド６３に外嵌固定され、先端ｇをテーパー状に形成した円筒部材６５とからなり、該円筒部材６５の外周にはロック用の突起ｈを設ける。図１６（Ａ）に示すように、室外側ハンドル６２に取付けた角ロッド６４は、パネル２に固定された取付部材５６に収容された円筒ピース５７の角孔ｃに貫通し、保持部材５９の小円筒部ｆ内に収容された結合ピース６０の角孔ｅの半分の部分に該角ロッド６４の先端を嵌着する。また、室内側ハンドル６１の角ロッド６３は、該結合ピース６０の角孔ｅに嵌着する。これにより、角ロッド６３、６４どうしが結合ピース６０により一体に結合される。
【００３０】
前記パネル支持部材３の結合部３ａに設ける受部５５は、図１５（Ｃ）の室外側から見た図および図１５（Ｄ）の斜視図に示すように、前記ロック部材５４を嵌入するように入口ｉをテーパー状に形成した円形孔ｊと、その孔ｊの奥に設けた円状のロック溝ｋと、孔の入口ｉの左右両側に設けた前記突起ｈ通過のために軸方向に設けた溝ｍとからなる。
【００３１】
このロック装置において、図１６（Ｂ）の平面図に示すように、ハンドルを横向きにしている状態においては、パネル２を閉じる際に、ロック部材５４の突起ｈが横向きとなっているので、パネル支持部材３の受部５５の入口の溝ｍを通してロック溝ｋに入れることができ、突起ｈがロック溝ｋに達した状態でハンドル６１または６２を回すことにより、突起ｈがロック溝ｋの壁面に係止され、ロックされる。図１４の側面図はハンドル６１、６２を垂直姿勢とすることにより、上下のロック装置がロックされた状態を示す。パネル２を開けるときは、ハンドル６１または６２を水平に操作することにより、突起ｈを溝ｍを通して離脱させ、ロックを解除することができる。
【００３２】
このように、パネル支持部材３の結合部３ａをロック部材５４の受部として用いることにより、コンパクトなロック装置を構成でき、外観も向上する。
【００３３】
図１７は本発明の他の実施例を示す側面図、図１８はそのＦ−Ｆ断面図であり、本実施例は、縦辷り出し窓式に開閉パネル２を支持する構造をパネル支持部材３と開閉パネル２との間で実現することにより、パネル２の端部がカーテンウォールの面内方向に動くように構成したものである。
【００３４】
図１７、図１８において、６６は左右のパネル支持部材３の結合部３ａ間にボルト６７、ナット６８により両端を固定して架設したパネル支持枠であり、このパネル支持部材はパネル２の上下に対応する部分にそれぞれ設けられる。６９はパネル２の上下の室内側面にそれぞれボルト７０、ナット７１により固定されるリンク連結部材である。上下のパネル支持枠６６はそれぞれガイド７２を取付け、各ガイド７２にはそれぞれ摺動自在にスライダ７３を収容する。
【００３５】
該スライダ７３とパネル２の端部との間は短いリンク７４により相対回動自在に連結し、前記上下のパネル支持枠６６の一端側とパネル２のリンク連結部材６９の中間部との間は長いリンク７５を介して連結し、該長いリンク７５と前記スライダ７３との間をリンク７６により相対回動自在に連結し、該リンク７６のスライダ７３との連結リベットと前記リンク７４とを、一端の連結部を長孔としたリンク７７により相対回動自在に連結する。上下のリンク連結部材６９には、レバー７８により回動されることにより、パネル支持部材６６に係止されてパネル２をロックするロック爪７９を有する。
【００３６】
この構成において、レバー７８によりロック爪６９によるロックを解除し、パネル２を押し出すと、リンク７５が矢印ｒに示すように支点８０を中心として回動し、これによりスライダ７３はガイド７２に沿って移動し、パネル２のリンク７４との連結部である枢着軸１２側端部は矢印Ｘの方向すなわちカーテンウォールの面内方向に水平移動し、一方パネル２の他端側は矢印Ｒで示すように、ほぼ円弧状に室外側に向けて動く。パネル２を閉じる時には、パネル２の各両端は前記Ｘ、Ｒの逆方向に移動する。
【００３７】
このように、パネル２の開閉に当たり、枢着側はカーテンウォールの面内方向に移動するようにすることにより、前記実施例と同様の気密材２０の損傷防止、開閉の容易化、気水密性の向上、気密材のサイズの抑制の効果が達成できる。また、本辷り出し構造は、パネル支持枠６６とリンク連結部材６９をパネルの上下に対向させるのではなく、パネル２の室内側に設け、これにより開閉パネル２はその全周で隣接パネル１の辺と直接対面させており、これにより、カーテンウォールとして開閉パネル２が固定パネルと同様な外観を呈するので、外観を損なうことがない。このような辷りだし構造のものは、横辷り出し構造としても実現できる。
【００３８】
本発明を実施するにあたり、開閉パネル２の開放に当たってパネル２の端部を室外方向に移動する方向は、溝やカムに沿ってガイドする等の手段により、カーテンウォールに対して垂直方向とするものではなく、傾斜した方向とすることも可能である。その他本発明を実施するに当たり、各部の詳細構造については種々に変更、付加が可能である。
【００３９】
【発明の効果】
請求項１によれば、パネルの周囲が、パネルの開放動作に伴って上部である枢着軸側がやや下降しながら室外側に移動し、パネルの閉塞動作に伴って室内側に移動する構成としたので、従来の蝶番方式のもののように、開放に伴って枢着側端部が隣接パネルの対向面に近接して気密材が強く摩擦することが防止され、開閉が容易になると共に、気密材の損傷が起きにくくなる。また、気密材のサイズを大きくしてパネル間隔を大とする必要がなく、パネル間の間隔の狭い信頼性の高いカーテンウォールが提供できる。
【００４０】
請求項２、３によれば、該開閉パネルを、該パネルの開放、閉塞動作に伴って、該パネルの枢着軸側端部がカーテンウォールの面内方向に移動する構成としたので、気密材の摩擦防止の面で請求項１よりさらに優れた効果を上げることができる。
【図面の簡単な説明】
【図１】本発明によるカーテンウォールの一実施例を示す開閉パネルの枢着部の側面図である。
【図２】本実施例のカーテンウォールを室外側から見た図である。
【図３】（Ａ）、（Ｂ）は本実施例のパネル支持装置をパネル閉塞状態、開放状態でそれぞれ示す斜視図である。
【図４】本実施例のカーテンウォールを開閉パネルが閉じた状態で示す側面図である。
【図５】本実施例のカーテンウォールを開閉パネルが閉じた状態で示す平面図である。
【図６】本実施例のカーテンウォールを開閉パネルが開いた状態で示す側面図である。
【図７】本実施例の開閉パネルの操作バーを示す平面図である。
【図８】本発明において用いる開閉パネルのロック装置の他の例を示す側面図である。
【図９】本発明において用いる開閉パネルのロック装置の他の例を示す平面図である。
【図１０】本発明によるカーテンウォールの他の実施例を示す開閉パネルの枢着部の側面図である。
【図１１】（Ａ）、（Ｂ）は図１０のパネル支持装置をパネル閉塞状態、開放状態でそれぞれ示す斜視図である。
【図１２】本実施例のカーテンウォールを開閉パネルが閉じた状態で示す側面図である。
【図１３】本発明によるカーテンウォールの他の実施例を示す平面図である。
【図１４】図１３のカーテンウォールの側面図である。
【図１５】（Ａ）、（Ｂ）は図１３のカーテンウォールのロック装置を組立段階を異ならせて示す分解斜視図、（Ｃ）はパネル支持部材の結合部を室外側から見た図、（Ｄ）はその斜視図である。
【図１６】（Ａ）は図１４のＥ−Ｅ断面図、（Ｂ）は本実施例のロック装置のレバーのロック解除状態を示す平面図である。
【図１７】本発明によるカーテンウォールの他の実施例を示す側面断面図である。
【図１８】図１７の実施例のＦ−Ｆ断面図である。
【図１９】従来のカーテンウォールを示す側面図である。
【図２０】図１９のカーテンウォールの開閉パネルの枢着部の構造を示す側面図である。
【符号の説明】
１：パネル、２：開閉パネル、３：パネル支持部材、３ａ：結合部、４：結合装置、５：支持装置、１２：枢着軸、２０、２１：気密材、３７：ガイド溝、３９：枢着軸、４９：流体圧シリンダ、５２：支持部材、５４：ロック部材、５５：受部、６１、６２：ハンドル、６６：パネル支持枠、９４：止め具
【図１】
0003615314.tif 000002
【図２】
0003615314.tif 000003
【図３】
0003615314.tif 000004
【図４】
0003615314.tif 000005
【図５】
0003615314.tif 000006
【図６】
0003615314.tif 000007
【図７】
0003615314.tif 000008
【図８】
0003615314.tif 000009
【図９】
0003615314.tif 000010
【図１０】
0003615314.tif 000011
【図１１】
0003615314.tif 000012
【図１２】
0003615314.tif 000013
【図１３】
0003615314.tif 000014
【図１４】
0003615314.tif 000015
【図１５】
0003615314.tif 000016
【図１６】
0003615314.tif 000017
【図１７】
0003615314.tif 000018
【図１８】
0003615314.tif 000019
【図１９】
0003615314.tif 000020
【図２０】
0003615314.tif 000021